(57)【要約】【目的】  表示されるアクセント文字の内、特定のアクセント文字を非表示とすることにより、アクセント文字の入力を迅速化した文章入力装置及びテープ印字装置を提供することを目的とする。【構成】  第１アクセント入力処理及び第２アクセント入力処理において、アクセント文字を入力する際に液晶ディスプレイ５の選択候補表示画面７１に表示される（Ｓ２４、Ｓ４４）アクセント文字の内、表示された（Ｓ６２）アクセント文字一覧よりカーソル１６に合わされたアクセント文字を削除し（Ｓ６８）、アクセント文字候補として表示させないようにするとともに、一旦非表示としたアクセント文字を再度復帰して、アクセント文字候補として表示させることができる（Ｓ７１）ように構成する。【選択図】  図１２
2005216071.tif 000002
【特許請求の範囲】
【請求項１】
文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、
前記アクセント文字表示手段により表示されるアクセント文字の内、特定のアクセント文字を非表示とする表示選択手段を有することを特徴とする文字入力装置。
【請求項２】
前記表示選択手段により非表示とされたアクセント文字を再度表示させる表示復帰手段を有することを特徴とする請求項１に記載の文字入力装置。
【請求項３】
文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、
前記アクセント文字表示手段により表示されるアクセント文字が唯一の場合には、前記選択手段は該唯一のアクセント文字を選択することを特徴とする文字入力装置。
【請求項４】
前記アクセント文字表示手段は、前記文字キーを継続して押下し続けることにより、押下された文字キーに関連付けられたアクセント文字を前記表示画面に表示させることを特徴とする請求項１又は請求項２に記載の文字入力装置。
【請求項５】
文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、
前記アクセント文字表示手段は、前記文字キーを継続して押下し続けることにより、押下された文字キーに関連付けられたアクセント文字を前記表示画面に表示させることを特徴とする文字入力装置。
【請求項６】
前記継続して押下された文字キーに関連付けられたアクセント文字が唯一の場合には、前記選択手段は該唯一のアクセント文字を選択することを特徴とする請求項４又は請求項５に記載の文字入力装置。
【請求項７】
前記継続して押下された文字キーに関連付けられたアクセント文字があるか否かを判断する第１判断手段を備え、
前記第１判断手段により、アクセント文字があると判断された場合には、前記アクセント文字表示手段により、前記押下された文字キーに関連付けられたアクセント文字が前記表示画面に表示され、
アクセント文字が無いと判断された場合には、前記押下された文字キーの文字が表示画面に表示されることを特徴とする請求項４乃至請求項６のいずれかに記載の文字入力装置。
【請求項８】
アクセントキーと、
前記文字キーにより入力され、前記表示画面中に表示された文字列の内、一の文字を選択する文字選択手段とを有し、
前記アクセント文字表示手段は、前記アクセントキーを押下することにより、前記文字選択手段により選択された文字に関連付けられたアクセント文字を表示することを特徴とする請求項１又は請求項２に記載の文字入力装置。
【請求項９】
文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、
アクセントキーと、
前記文字キーにより入力され、前記表示画面中に表示された文字列の内、一の文字を選択する文字選択手段とを有し、
前記アクセント文字表示手段は、前記アクセントキーを押下することにより、前記文字選択手段により選択された文字に関連付けられたアクセント文字を表示することを特徴とする文字入力装置。
【請求項１０】
前記文字選択手段により選択された文字に関連付けられたアクセント文字が唯一の場合には、前記選択手段は該唯一のアクセント文字を選択することを特徴とする請求項８又は請求項９に記載の文字入力装置。
【請求項１１】
前記文字選択手段により選択された文字に関連付けられたアクセント文字があるか否かを判断する第２判断手段を備え、
前記第２判断手段により、アクセント文字があると判断された場合には、前記アクセント文字表示手段により、前記選択手段により選択された文字に関連付けられたアクセント文字が前記表示画面に表示され、
アクセント文字が無いと判断された場合には、前記選択手段により選択された文字が表示画面に表示されることを特徴とする請求項８乃至請求項１０のいずれかに記載の文字入力装置。
【請求項１２】
前記アクセント文字表示手段は、複数のアクセント文字を一覧にして前記表示画面に表示させることを特徴とする請求項１乃至請求項１１のいずれかに記載の文字入力装置。
【請求項１３】
前記アクセント文字表示手段は、一のアクセント文字を表示するとともに他のアクセント文字を順次切り換えて表示させることを特徴とする請求項１乃至請求項１２のいずれかに記載の文字入力装置。
【請求項１４】
文字の大文字と小文字を切り換える切り換えキーを有し、
前記アクセント文字表示手段は、前記切り換えキーを押下する毎に表示されるアクセント文字の大文字と小文字を切り換えて表示させることを特徴とする請求項１乃至請求項１３のいずれかに記載の文字入力装置。
【請求項１５】
装置本体に収納されるテープカセットと、装置本体に内蔵される文字入力装置と、前記文字入力装置によって入力された文字を前記テープカセットに収納される長尺状のテープに印字する印字手段と、を備えたテープ印字装置において、
前記文字入力装置は、請求項１乃至請求項１４のいずれかに記載された文字入力装置であることを特徴とするテープ印字装置。
【発明の詳細な説明】
【技術分野】
【０００１】
本発明は、アクセント符号を有するアクセント文字を表示させ選択する文章入力装置及びテープ印字装置において、特に表示されるアクセント文字の一部を非表示とするように構成された文字入力装置及びテープ印字装置に関するものである。
【背景技術】
【０００２】
従来より、ウムラウト「¨」、アクサンテギュ「´」等のアクセント符号が付されたアクセント文字の入力が可能となるように構成された文字入力装置が種々提案されている。
例えば、特開平６−２２３０５３号公報には、複数の文字コードから構成される少なくとも１つのテキストファイルを記憶するテキストメモリと、前記文字コードやデッド文字コードを入力するための入力手段と、前記テキストメモリに記憶されている文字コードあるいは入力手段により入力された文字コードに対応する文字を表示する表示手段とを備えた文書処理装置であって、デッド文字コードとそのデッド文字コードが示すデッド文字が使われるデッド合成文字を前記表示手段に表示するためのデッド合成文字表示データとを対応つけて記憶するデッド合成文字記憶手段と、入力手段にて入力されたコードがデッド文字コードか否かを判断する判断手段と、その判断手段がデッド文字コードであると判断した際に、そのデッド文字コードに対応するデッド合成文字表示データをデッド合成文字記憶手段から読み出して、該デッド合成文字表示データに基づいてデッド合成文字を表示手段に表示させる表示制御手段とから構成される第１の文字入力装置がある。
【特許文献１】特開平６−２２３０５３号公報（第４−５頁、図４−図７）
【発明の開示】
【発明が解決しようとする課題】
【０００３】
しかしながら、前記した特許文献１に記載されたような文章作成装置に関して、英語、フランス語、ドイツ語など複数の国の言語に対応したものについては次のような欠点がある。即ち、デッド合成文字の入力のためにデッド合成文字の候補を表示する際に、各国において使用されるデッド合成文字の種類及び使用頻度に関しては何ら考慮されることがない為、使用される国の言語によっては存在しないデッド合成文字まで候補として表示してしまうこととなる。また、文章作成装置は基本的に毎回同じ種類の言語で使用されるものであり、ほとんど使用されない文字まで毎回入力候補として表示することは、文字入力操作が煩雑となると共に、入力時間が長くなり操作効率が低下することとなる。
【０００４】
本発明は、前記従来における問題点を解消するためになされたものであり、アクセント文字表示手段により表示されるアクセント文字の内、表示を必要としないアクセント文字を表示させないようにする表示選択手段を有することにより、アクセント文字の入力を迅速かつ簡易に行うことができる文字入力装置及びテープ印字装置を提供することを目的とする。
【課題を解決するための手段】
【０００５】
前記目的を達成するため請求項１に係る文字入力装置は、文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、前記アクセント文字表示手段により表示されるアクセント文字の内、特定のアクセント文字を非表示とする表示選択手段を有することを特徴とする。
【０００６】
また、請求項２に係る文字入力装置は、請求項１に記載の文字入力装置において、前記表示選択手段により非表示とされたアクセント文字を再度表示させる表示復帰手段を有することを特徴とする。
【０００７】
また、請求項３に係る文字入力装置は、文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、前記アクセント文字表示手段により表示されるアクセント文字が唯一の場合には、前記選択手段は該唯一のアクセント文字を選択することを特徴とする。
【０００８】
また、請求項４に係る文字入力装置は、請求項１又は請求項２に記載の文字入力装置において、前記アクセント文字表示手段は、前記文字キーを継続して押下し続けることにより、押下された文字キーに関連付けられたアクセント文字を前記表示画面に表示させることを特徴とする。
【０００９】
また、請求項５に係る文字入力装置は、文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、前記アクセント文字表示手段は、前記文字キーを継続して押下し続けることにより、押下された文字キーに関連付けられたアクセント文字を前記表示画面に表示させることを特徴とする。
【００１０】
また、請求項６に係る文字入力装置は、請求項４又は請求項５に記載の文字入力装置において、前記継続して押下された文字キーに関連付けられたアクセント文字が唯一の場合には、前記選択手段は該唯一のアクセント文字を選択することを特徴とする。
【００１１】
また、請求項７に係る文字入力装置は、請求項４乃至請求項６のいずれかに記載の文字入力装置において、前記継続して押下された文字キーに関連付けられたアクセント文字があるか否かを判断する第１判断手段を備え、前記第１判断手段により、アクセント文字があると判断された場合には、前記アクセント文字表示手段により、前記押下された文字キーに関連付けられたアクセント文字が前記表示画面に表示され、アクセント文字が無いと判断された場合には、前記押下された文字キーの文字が表示画面に表示されることを特徴とする。
【００１２】
また、請求項８に係る文字入力装置は、請求項１又は請求項２に記載の文字入力装置において、アクセントキーと、前記文字キーにより入力され、前記表示画面中に表示された文字列の内、一の文字を選択する文字選択手段とを有し、前記アクセント文字表示手段は、前記アクセントキーを押下することにより、前記文字選択手段により選択された文字に関連付けられたアクセント文字を表示することを特徴とする。
【００１３】
また、請求項９に係る文字入力装置は、文字入力を行う文字キーと、入力された文字を表示する表示画面と、前記表示画面にアクセント符号を有するアクセント文字を表示するアクセント文字表示手段と、前記アクセント文字表示手段により表示されたアクセント文字より任意のアクセント文字を選択する選択手段を有する文字入力装置において、アクセントキーと、前記文字キーにより入力され、前記表示画面中に表示された文字列の内、一の文字を選択する文字選択手段とを有し、前記アクセント文字表示手段は、前記アクセントキーを押下することにより、前記文字選択手段により選択された文字に関連付けられたアクセント文字を表示することを特徴とする。
【００１４】
また、請求項１０に係る文字入力装置は、請求項８又は請求項９に記載の文字入力装置において、前記文字選択手段により選択された文字に関連付けられたアクセント文字が唯一の場合には、前記選択手段は該唯一のアクセント文字を選択することを特徴とする。
【００１５】
また、請求項１０に係る文字入力装置は、請求項８乃至請求項１０のいずれかに記載の文字入力装置において、前記文字選択手段により選択された文字に関連付けられたアクセント文字があるか否かを判断する第２判断手段を備え、前記第２判断手段により、アクセント文字があると判断された場合には、前記アクセント文字表示手段により、前記選択手段により選択された文字に関連付けられたアクセント文字が前記表示画面に表示され、アクセント文字が無いと判断された場合には、前記選択手段により選択された文字が表示画面に表示されることを特徴とする。
【００１６】
また、請求項１１に係る文字入力装置は、請求項１乃至請求項１１のいずれかに記載の文字入力装置において、前記アクセント文字表示手段は、複数のアクセント文字を一覧にして前記表示画面に表示させることを特徴とする。
【００１７】
また、請求項１２に係る文字入力装置は、請求項１乃至請求項１２のいずれかに記載の文字入力装置において、前記アクセント文字表示手段は、一のアクセント文字を表示するとともに他のアクセント文字を順次切り換えて表示させることを特徴とする。
【００１８】
また、請求項１３に係る文字入力装置は、請求項１乃至請求項１３のいずれかに記載の文字入力装置において、文字の大文字と小文字を切り換える切り換えキーを有し、前記アクセント文字表示手段は、前記切り換えキーを押下する毎に表示されるアクセント文字の大文字と小文字を切り換えて表示させることを特徴とする。
【００１９】
更に、請求項１４に係るテープ印字装置は、装置本体に収納されるテープカセットと、装置本体に内蔵される文字入力装置と、前記文字入力装置によって入力された文字を前記テープカセットに収納される長尺状のテープに印字する印字手段と、を備えたテープ印字装置において、前記文字入力装置は、請求項１乃至請求項１４のいずれかに記載された文字入力装置であることを特徴とする。
【発明の効果】
【００２０】
このような特徴を有する請求項１に係る文章入力装置によれば、アクセント文字表示手段により表示されるアクセント文字の内、特定のアクセント文字を非表示とする表示選択手段を有するので、ユーザーにとって表示を必要としない特定のアクセント文字を表示画面に表示させることなく、特定のアクセント文字を除いたアクセント文字中より選択手段によるアクセント文字の選択を行うことができる。従って、アクセント文字の入力を迅速かつ簡易に行うことができる。
【００２１】
また、請求項２に係る文章入力装置によれば、表示選択手段により非表示とされたアクセント文字を再度表示させる表示復帰手段を有するので、一旦非表示としたアクセント文字を再度復帰して、アクセント文字表示手段により表示させることができる。従って、様々な言語において文章入力装置を使用する際にも、各言語ごとに表示又は非表示とするアクセント文字を変更することが可能である。
【００２２】
また、請求項３に係る文章入力装置によれば、表示されるアクセント文字が唯一の場合には、選択手段は唯一のアクセント文字を選択するので、ユーザーはアクセント文字の選択を行う必要がなく、アクセント文字の入力をより迅速かつ簡易に行うことができる。
【００２３】
また、請求項４に係る文章入力装置によれば、アクセント文字表示手段は、文字キーを継続して押下し続けることにより、押下された文字キーに関連付けられたアクセント文字を表示画面に表示させるので、希望する種類のアクセント文字を迅速に表示させることが可能である。従って、アクセント文字の入力を迅速かつ簡易に行うことができる。
【００２４】
また、請求項５に係る文章入力装置によれば、アクセント文字表示手段は、文字キーを継続して押下し続けることにより、押下された文字キーに関連付けられたアクセント文字を表示画面に表示させるので、希望する種類のアクセント文字を迅速に表示させることが可能である。従って、アクセント文字の入力を迅速かつ簡易に行うことができる。
【００２５】
また、請求項６に係る文章入力装置によれば、継続して押下された文字キーに関連付けられたアクセント文字が唯一の場合には、選択手段は唯一のアクセント文字を選択するので、アクセント文字の選択を行う必要がなく、アクセント文字の入力をより迅速かつ簡易に行うことができる。
【００２６】
また、請求項７に係る文章入力装置によれば、継続して押下された文字キーに関連付けられたアクセント文字があるか否かを判断する第１判断手段を備え、アクセント文字があると判断された場合には、押下された文字キーに関連付けられたアクセント文字が表示画面に表示され、アクセント文字が無いと判断された場合には、押下された文字キーの文字が表示画面に表示されるので、文字キーによるアクセント文字の入力が可能になるとともに、アクセント文字が関連付けられていない文字キーが押下された場合には、通常の文字入力を行うことができる。
【００２７】
また、請求項８に係る文章入力装置によれば、文字キーにより入力され、表示画面中に表示された文字列の内、一の文字を選択し、アクセントキーを押下することにより選択された文字に関連付けられたアクセント文字を表示するので、一旦アクセント文字を含まない文章を入力した後に、まとめて文章中にアクセント文字を表示させることが可能である。従って、アクセント文字の入力を迅速かつ簡易に行うことができる。また、間違ったアクセント文字を入力した場合であっても、間違ったアクセント文字を削除することなく、正しいアクセント文字に変更することが可能である。
【００２８】
また、請求項９に係る文章入力装置によれば、文字キーにより入力され、表示画面中に表示された文字列の内、一の文字を選択し、アクセントキーを押下することにより選択された文字に関連付けられたアクセント文字を表示するので、アクセント文字を含まない文章を入力した後に、まとめて文章中にアクセント文字を表示させることが可能である。従って、アクセント文字の入力を迅速かつ簡易に行うことができる。また、間違ったアクセント文字を入力した場合であっても、間違ったアクセント文字を削除することなく、正しいアクセント文字に変更することが可能である。
【００２９】
また、請求項１０に係る文章入力装置によれば、文字選択手段により選択された文字に関連付けられたアクセント文字が唯一の場合には、選択手段は唯一のアクセント文字を選択するので、アクセント文字の選択を行う必要がなく、アクセント文字の入力をより迅速かつ簡易に行うことができる。
【００３０】
また、請求項１１に係る文章入力装置によれば、文字選択手段により選択された文字に関連付けられたアクセント文字があるか否かを判断する第２判断手段を備え、アクセント文字があると判断された場合には、押下された文字キーに関連付けられたアクセント文字が表示画面に表示され、アクセント文字が無いと判断された場合には、押下された文字キーの文字が表示画面に表示されるので、アクセント文字が関連付けられていない文字が選択されて、アクセントキーが押下された場合であっても、アクセント文字を表示することなく、文字入力を行うことができる。
【００３１】
また、請求項１２に係る文章入力装置によれば、アクセント文字表示手段は、複数のアクセント文字を一覧にして前記表示画面に表示させるので、希望するアクセント文字を容易に選択することが可能である。従って、アクセント文字の入力を迅速かつ簡易に行うことができる。
【００３２】
また、請求項１３に係る文章入力装置によれば、アクセント文字表示手段は、一のアクセント文字を表示するとともに他のアクセント文字を順次切り換えて表示させるので、希望するアクセント文字を容易に選択することが可能である。従って、アクセント文字の入力を迅速かつ簡易に行うことができる。
【００３３】
また、請求項１４に係る文章入力装置によれば、文字の大文字と小文字を切り換える切り換えキーを有し、アクセント文字表示手段は、切り換えキーを押下する毎に表示されるアクセント文字の大文字と小文字を切り換えて表示させるので、アクセント文字を表示させた後にアクセント文字の大文字と小文字を変更することが可能である。従って、アクセント文字の小文字と大文字を間違えて表示させた場合であっても、その修正を容易に行うことができる。
【００３４】
更に、請求項１５に係る文章入力装置によれば、装置本体に収納されるテープカセットと、装置本体に内蔵される文字入力装置と、文字入力装置によって入力された文字をテープカセットに収納される長尺状のテープに印字する印字手段と、を備えたテープ印字装置において、前記文字入力装置は、請求項１乃至請求項１４のいずれかに記載された文字入力装置であるので、テープ印字装置に対しても前記文章入力装置を適用することができ、アクセント文字の入力を迅速かつ簡易に行うことができる。
【発明を実施するための最良の形態】
【００３５】
以下、本発明に係る文字入力装置及びテープ印字装置に関して、当該文字入力装置が装置本体に内蔵されたテープ印字装置について具体化した第１実施形態乃至第３実施形態に基づき図面を参照しつつ詳細に説明する。
先ず、第１実施形態に係るテープ印字装置の概略構成について図１乃至図３に基づき説明する。図１は第１実施形態に係るテープ印字装置を示す概略外観斜視図、図２は第１実施形態に係るテープ印字装置を示す正面図、図３は第１実施形態に係るテープ印字装置に装着される背面カバーを外してテープカセットを装着した状態を示す背面側斜視図である。
【００３６】
図１及び図２に示すように、テープ印字装置１は、合成樹脂製の本体２と、この本体２の背面部（テープ印字装置１を使用する際に使用者と対向する面と反対側の面）全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部４が穿設され、この窓部４の下側には液晶ディスプレイ５が配設されている。また、本体２の液晶ディスプレイ５の右側側面部には、カッターレバー６が設けられ、このカッターレバー６を親指などで内側に押すことにより印字されて上端部に形成されるテープ排出口７（図３参照）から排出された印字用テープを切断刃（図示せず）にて切断することができる。
【００３７】
また、本体２の長手方向のほぼ下半分側の部分の左右幅寸法は、その上側部分の左右幅寸法よりも少し狭く形成されると共に、左右側面の角部も丸く形成され、把持部１０を構成している。また、背面カバー３の把持部１０に対応する部分の左右側面の角部も丸く形成されている。また、本体２に取り付けられる背面カバー３は、テープカセット１１（図３参照）に対向する部分から把持部１０にかけてテープ印字装置１の厚さ寸法がなだらかに小さくなるように形成され、把持部１０の厚さ寸法は、テープカセット１１が収納されている部分の厚さ寸法よりも小さくなるように形成され、ユーザーの手に持ちやすいように把持部１０が構成されている。
【００３８】
また、把持部１０の表面には、弾性部材（例えば、シリコンゴム等）で形成された各キーが配設されたキーボード２４が配置されている。キーボード２４には、文書データからなるテキストを作成するための文字入力キー１２、スペースを入力するスペースキー１３、入力するアルファベットの種類を大文字と小文字とに押下する毎に切り換えるＣａｐｓキー１４、テキストの印字を指令する印字キー１５、及び、文字等のキャラクタを表示する液晶ディスプレイ５上でカーソル１６（図９参照）を左右に移動させるカーソルキー１７、電源をオン・オフする電源ボタン１８、文字選択等を指令するエンターキー１９、文字の書体変更等する際に各機能選択画面を呼び出すファンクションキー２０、フランス語、ドイツ語等を入力する際に使用するアクセント符号（ラムラウト「¨」、アクサンテギュ「´」等）付きのアクセント文字の候補を液晶ディスプレイ５に表示させるアクセントキー２１、入力され液晶ディスプレイ５に表示された文字の内、カーソル１６で指定された文字を消去するＤｅｌｅｔｅキー２２、「＠」や「％」等の特殊な記号等を入力するシンボルキー２３等を備えている。尚、アクセントキー２１によるアクセント文字入力方法については後に詳細に説明する。
【００３９】
また、各文字入力キー１２は、液晶ディスプレイ５よりに設けられた「０」〜「９」の数字からなるテンキー２６と、把持部１０よりに設けられた「Ａ」〜「Ｚ」の各アルファベットを入力する英字キー２７とに大きく分かれて構成されている。そして、各英数字を押下すると、そのキー上に描かれた英数字が液晶ディスプレイ５上に表示され、入力できるように構成されている。
【００４０】
また、本体２の把持部１０の裏面部には、各文字入力キー１２、スペースキー１３、Ｃａｐｓキー１４、印字キー１５、カーソルキー１７、電源ボタン１８、エンターキー１９、ファンクションキー２０、アクセントキー２１、Ｄｅｌｅｔｅキー２２、シンボルキー２３等を備えるキーボード２４が上面部に配置される回路基板２９が設けられている。また、本体２の把持部１０と液晶ディスプレイ５との間の裏面部には、制御回路部が構成される制御基板３０が配設されている。そして、この制御基板３０のサーマルヘッド３１に対して反対側で本体２の長手方向上側には、不図示のギヤ列を介してテープ送り手段であるプラテンローラ３２（図３参照）を回転駆動する駆動モータ（図示せず）が本体２の裏面部に配設されている。
【００４１】
また、本体２の各基板２９、３０、液晶ディスプレイ５、及び駆動モータ等が配置されたその裏側背面部には、図３に示すように、テープカセット１１が収納されるカセット収納部３５や乾電池３６が収納される電池収納部３７が形成されている。
カセット収納部３５は、テープカセット１１の外形とほぼ同じ水平断面略四角形状で、ほぼテープカセット１１の厚さ寸法にほぼ等しい深さ寸法裏側に膨出するように形成されている。また、このカセット収納部３５のカッターレバー６側の端縁部近傍の底面部には、複数の発熱素子（図示せず）を列設するとともに、印字用テープに印字リボン（図示せず）を介して文字等の印字を行うサーマルヘッド３１が取り付けられる薄板状のサーマルヘッド取付部３８が、本体２の長手方向に沿うように直角外側方向に立設されている。
【００４２】
また、背面カバー３を本体２に取り付ける際には、把持部１０側の端部に形成された第１差込部３９を本体２に設けられた差込溝４０に差し込んだ後、第１差込部３９の反対側に設けられた第２差込部４１の爪部４２を本体２に設けられた爪固定部４３に嵌合することによって背面カバー３は取り付けられる。背面カバー３を取り付けた状態において第２差込部４１を装置内部側に押し込むと、爪部４２が爪固定部４３から外れるように構成されているので、背面カバー３は本体２に対して容易に着脱可能となっている。そして、背面カバー３を取り外した状態では、テープカセット１１をカセット収納部３５から上方に取り出すことができる。また、電池収納部３７に収納された乾電池３６を順次取り出して、交換することが可能となっている。
また、背面カバー３のテープカセット１１に対向する部分には確認窓４４が設けられ、背面カバー３を本体２に取り付けた際にはテープカセット１１の種類が印刷されたカセットラベル４５が確認窓４４を通して認視可能となっている。そして、カセット収納部３５に収納したテープカセット１１の種類を背面カバー３を開けなくとも確認できるようになっている。
【００４３】
さらに、カセット収納部３５の底面部には、複数個（本実施形態では７個）の検出スイッチ（図示せず）が配設されており、かかる検出スイッチは、テープカセット１１をカセット収納部３５にセットした際に、テープカセット１１の底面に形成された複数個（本実施形態では７個）の凹凸部（図示せず）を介して選択的にオン・オフされる。その結果によりテープカセットの種類の検出が可能である。
前記テープカセット１１には、印字用テープ及び印字リボンが内蔵されており、本実施形態に係るテープ印字装置１に使用されるテープカセット１１の種類は、内蔵されている印字用テープと印字リボンとの組合せにより区別される。その内、印字用テープのテープ幅としては、６ｍｍ、９ｍｍ、１２ｍｍ、１８ｍｍ、２４ｍｍ、３６ｍｍの６種類があり、また、テープの種類としては、ラミネートテープ、レセプターテープの２種類がある。
【００４４】
次に、前記のように構成されたテープ印字装置１の制御系について図４を用いて説明する。図４に示すように、テープ印字装置１の制御構成は、制御基板３０上に形成される制御回路部５０を核として構成されている。制御回路部５０には、各機器を制御するＣＰＵ５１と、このＣＰＵ５１にデータバス５２を介して接続された入出力インタフェース５３、ＣＧＲＯＭ５４、ＲＯＭ５５、５６、ＲＡＭ５７とから構成されている。なお、ＣＰＵ５１の内部にはタイマ５１Ａが設けられている。
【００４５】
ここに、ＣＧＲＯＭ５４には、多数のキャラクタの各々に関して、表示のためのドットパターンデータがコードデータに対応させて格納されている。
また、ＲＯＭ（ドットパターンデータメモリ）５５には、アルファベット文字や記号等のキャラクタを印字するための多数のキャラクタの各々に関して、印字用ドットパターンデータが、書体（ゴシック系書体、アリエール書体等）毎に分類され、各書体毎に５種類（１６、２４、３２、４８、６４のドットサイズ）の印字文字サイズ分、コードデータに対応させて格納されている。また、文字の修飾（太字、白抜き、斜体、影付き）を含む修飾文字を印字するためのグラフィックパターンデータも記憶されている。
【００４６】
また、ＲＯＭ５６には、Ｃａｐｓキー１４が起動後最初に押下された場合に、アルファベットの大文字、小文字を切り換える初期切り換え順番（第１実施形態では、「アルファベット大文字」→「アルファベット小文字」→「アルファベット大文字」→・・・の順番になっている）を記憶する初期切換順記憶領域５６Ａが設けられている。
【００４７】
また、ＲＯＭ５６には、アクセントキー２１が押下された場合に、液晶ディスプレイ５に表示されるアクセント文字の種類を切り換える切り換え順を記憶するアクセント切換順記憶領域５６Ｂが設けられている。第１実施形態では、アクセント文字は、フランス語、ドイツ語、イタリア語、スペイン語等の欧州各地で使用されるアクセント文字がすべて収納され、アクセントキー２１を押下する毎に、各母体文字に関連付けられたアクセント文字の一覧がアルファベット順（図５及び図６の上から順）に表示される。
【００４８】
また、ＲＯＭ５６には、アクセントキー２１を連続して押下することにより繰り返し表示されるアクセント文字の候補一覧を記憶するアクセント文字選択テーブル６０、６１（図５、図６参照）が格納されるアクセント文字記憶領域５６Ｃが設けられている。
【００４９】
また、ＲＯＭ５６には、文字入力キー１２等から入力された文字や数字等のキャラクタのコードデータに対応させて液晶ディスプレイ（ＬＣＤ）５を制御する表示駆動制御プログラム、印字バッファ５７Ｂのデータを読み出してサーマルヘッド３１やプラテンローラ３２を駆動する印字駆動制御プログラム、各印字ドットの形成エネルギ量に対応するパルス数を決定するパルス数決定プログラム、及び後述の第１アクセント入力処理、第２アクセント入力処理、及びアクセント入力設定処理の制御プログラム（図８、図１０、図１２参照）、印字終了した場合に印字テープを切断位置まで駆動して搬送する駆動制御プログラム、その他テープ印字装置１の制御上必要な各種のプログラムが格納されている。そして、ＣＰＵ５１は、かかるＲＯＭ５６に記憶されている各種プログラムやデータに基づいて各種の演算を行うものである。
【００５０】
さらに、ＲＡＭ５７には、テキストメモリ５７Ａ、印字バッファ５７Ｂ、カウンタ５７Ｃ、非表示に設定したアクセント文字を記憶する非表示アクセント文字記憶領域５７Ｄ等が設けられており、テキストメモリ５７Ａには、文字入力キー１２、アクセントキー２１、シンボルキー２３から入力された文書データが格納される。また、印字バッファ５７Ｂには、複数の文字や記号等の印字用ドットパターンや各ドットの形成エネルギ量である印加パルス数等がドットパターンデータとして格納され、サーマルヘッド３１はかかる印字バッファ５７Ｂに記憶されているドットパターンデータに従ってドット印字を行う。また、カウンタ５７Ｃには、アクセントキー２１が押下された回数のカウント値が格納される。また、非表示アクセント文字記憶領域５７Ｄには、非表示に設定したアクセント文字を記憶する。尚、ＲＡＭ５７は、起動時には初期化される。
【００５１】
また、入出力インタフェース５３には、回路基板２９と、液晶ディスプレイ（ＬＣＤ）５に表示データを出力するためのビデオＲＡＭ６４を有するディスプレイコントローラ（以下、ＬＣＤＣという）６５と、サーマルヘッド３１を駆動するための駆動回路６６と、テープ送りモータ６３を駆動するための駆動回路６７とが各々接続されている。
よって、回路基板２９の文字入力キー１２、アクセントキー２１、シンボルキー２３を介して文字等が入力された場合、そのテキスト（文書データ）がテキストメモリ５７Ａに順次記憶されていくとともに、ドットパターン発生制御プログラム及び表示駆動制御プログラムに基づいて回路基板２９を介して入力された文字等に対応するドットパターンがＬＣＤ５上に表示される。また、サーマルヘッド３１は駆動回路６６を介して駆動され、印字バッファ５７Ｂに記憶されたドットパターンデータの印字を行い、これと同期してテープ送りモータ６３が駆動回路６７を介してテープの送り制御を行うものである。
【００５２】
次に、アクセント文字記憶領域５６Ｃに格納されるアクセント文字選択テーブル６０、６１について図５、図６に基づいて説明する。
図５、図６に示すように、アクセント文字選択テーブル６０、６１は、母体文字であるアルファベットと、そのアルファベットに関連付けられた複数種類のアクセント文字の候補とから構成されている。また、アクセント文字にはアルファベットと同様に大文字と小文字がそれぞれ存在する。図５は大文字のアクセント文字選択テーブルであり、図６は小文字のアクセント文字選択テーブルである。
【００５３】
格納されているアクセント文字は、フランス語、ドイツ語、イタリア語、スペイン語等の欧州各地で使用されるすべてのアクセント文字であり、各母体文字に関連付けられているアクセント文字の数は、母体文字の種類ごとに異なっている（例えば「Ａ」に関連付けられたアクセント文字は、アクセント文字選択テーブル６０の左から順に「ウムラウトＡ」、「アクサンテギュＡ」、「アクサングローヴＡ」、「ハットＡ」、「キャロンＡ」、「オゴネクＡ」、「チルドＡ」、「リングアバヴＡ」、「リガチャーＡ」の９種類である。一方、「Ｙ」に関連付けられたアクセント文字は「アクサンテギュＹ」の１種類である）。
【００５４】
ユーザーがこれらのアクセント文字選択テーブル６０、６１よりアクセント文字の入力を希望する場合には、以下の方法がある。
先ず、一つの方法として母体文字となるアルファベット（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類）の文字入力キー１２を継続して（第１実施形態では約２秒）押下することにより、そのアルファベットに関連付けられたアクセント文字の候補一覧を液晶ディスプレイ５に表示させ、入力する方法がある（図９参照）。アルファベット大文字の入力の際には、大文字のアクセント文字が表示ざれ、アルファベット小文字の入力の際には、小文字のアクセント文字が表示ざれる。例えば、小文字入力時に「Ｎ」の文字入力キー１２を継続して押下すると、「アクサンテギュｎ」、「キャロンｎ」、「チルドｎ」のアクセント文字が表示される。
【００５５】
また、他の方法として、アクセントキー２１を押下してアクセント文字の候補を表示させ、入力する方法もある。先ず、アクセントキー２１が押下されると、液晶ディスプレイ５上に母体文字「Ａ」に関連付けられた「ウムラウトＡ」、「アクサンテギュＡ」、「アクサングローヴＡ」、「ハットＡ」、「キャロンＡ」、「オゴネクＡ」、「チルドＡ」、「リングアバヴＡ」、「リガチャーＡ」の９種類のアクセント文字が一覧にして表示される（Ｃａｐｓキーにより小文字の入力モードになっていた場合には小文字「ａ」に関連付けられたアクセント文字が表示）。そして、アクセントキーを押下する毎に母体文字「Ａ」→「Ｃ」→「Ｄ」→・・・・の順（アルファベット順）に表示されるアクセント文字の一覧が切り換わる。
そして、ユーザーは希望するアクセント文字が含まれたアクセント文字候補が表示された際に、アクセントキー２１の操作をやめ、カーソルキー１７で希望するアクセント文字を選択し、入力することができる（図１１参照）。また、アクセント文字表示中にＣａｐｓキー１４を押下すると現在表示されているアクセント文字の大文字と小文字を切り換えることが可能である（例えば「Ｅに関連付けられたアクセント文字一覧」→「ｅに関連付けられたアクセント文字一覧」→・・・）。
更に、それぞれのアクセント文字は左から順に番号が「１」から順に付されており、表示されたアクセント文字から希望するアクセント文字を選択する方法として、カーソルキー１７により選択する方法以外に、テンキー２６（図２参照）によりその文字に対応する数字を押下することにより直接選択することが可能である。
また、これらのアクセント文字選択テーブル６０、６１のアクセント文字が表示される順に関してはアクセント切換順記憶領域５６Ｂに記憶されている。
尚、以上説明したアクセント文字の入力方法に関しては、後にフローチャートを用いて詳細に説明する。
【００５６】
次に、このように構成された第１実施形態に係るテープ印字装置１のアルファベット文字やアクセント文字等の文字入力の制御処理について図７乃至図１４に基づき説明する。図７はテープ印字装置１のメインシステム制御プログラムのフローチャートである。
図７に示すように、先ずステップ（以下、Ｓと略記する）１において、コールドスタートされたか否か判断される。尚、ここでコールドスタートとは、例えば電源投入時等に行われるメモリ等の内容を完全にクリア（初期化処理）することである。
【００５７】
コールドスタートされる場合（Ｓ１：ＹＥＳ）には、Ｓ２でテープ印字装置１のＣＰＵ５１は、初期化処理を行う。即ち、テキストメモリ５７Ａ、印字バッファ５７Ｂ、カウンタ５７Ｃ、非表示アクセント文字記憶領域５７Ｄなどの初期化を行う。それにより、後述するアクセント入力設定処理（図１２参照）により非表示とされたアクセント文字候補がすべて復帰される。一方、コールドスタートされない場合（Ｓ１：ＮＯ）はその状態のままＳ３へ移行する。
【００５８】
そして、Ｓ３において、ＣＰＵ５１により、装置本体表面部のキーボード２４に配置された各キー（図２参照）のいずれかが押下されたか否か判断され、押下されていない場合にはされるまで待機する（Ｓ３：ＮＯ）。
続いて、いずれかのキーが押下された場合には（Ｓ３：ＹＥＳ）、Ｓ４において、先ず、テンキー２６及び英字キー２７とからなる文字入力キー１２が押下されたか否かを判定する判定処理を実行する。尚、テープ印字装置１の起動時には、キー入力によって入力できる文字種類は「アルファベット大文字」に設定されている。
【００５９】
そして、文字入力キー１２が押下された場合には（Ｓ４：ＹＥＳ）、Ｓ５において、文字入力キー１２が一定時間（第１実施形態では約２秒）継続して押下されているか否かが判断される。継続して押下されない場合（Ｓ５：ＮＯ）、即ち、通常の文字入力の場合には、押下した文字入力キー１２に対応するアルファベット若しくは数字等が入力されて、液晶ディスプレイに表示される（Ｓ６）。
【００６０】
一方、文字入力キー１２が継続して押下された場合（Ｓ５：ＹＥＳ）には、続いて、ＣＰＵ５１により、押下された文字入力キー１２が母体文字であるか否かが判断される（Ｓ７）。母体文字とは、アクセント符号が付されることによりアクセント文字が形成されるアルファベット文字のことであり、アクセント文字選択テーブル６０、６１によりアクセント文字が関連付けられている（図５、図６参照）。具体的には「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類のアルファベットである（小文字も同様）。
【００６１】
母体文字以外の文字入力キー１２が押下された場合には（Ｓ７：ＮＯ）、押下した文字入力キー１２に対応するアルファベット若しくは数字等が入力されて、液晶ディスプレイに表示される（Ｓ６）。そして、母体文字の文字入力キー１２が押下された場合には（Ｓ７：ＹＥＳ）、押下された母体文字の文字入力キー１２に関連付けられたアクセント文字を表示し、入力を行う第１アクセント入力処理を行う（Ｓ８）。尚、第１アクセント入力処理の詳細については後述する。
【００６２】
また、文字入力キー１２が押下されていない場合（Ｓ４：ＮＯ）には、Ｓ９により印字キー１５が押下されたか否かが判断される。印字キー１５が押下された場合（Ｓ９：ＹＥＳ）には、現在入力され、液晶ディスプレイ５に表示されている文章（アクセント文字含む）の印刷処理を行う（Ｓ１０）。印刷処理においては、テキストメモリ５７Ａに格納された文書データを印字バッファ５７Ｂに展開し、そのデータを読み出してサーマルヘッド３１やプラテンローラ３２等を駆動し、テープカセット１１に収納された印字テープに印字を行う。尚、テープ印字装置１による印刷処理の詳細については既に公知であるのでここではその詳細の説明は省略する。
【００６３】
また、印字キー１５が押下されていない場合（Ｓ９：ＮＯ）には、カーソルキー１７が押下されたか否かを判定する判定処理を実行する（Ｓ１１）。カーソルキー１７は液晶ディスプレイ５上に表示されるカーソル１６（図９参照）の位置を左右に動かすものである。カーソル１６位置は、文字を入力、若しくは削除する位置を指定するものである。カーソルキー１７が操作された場合（Ｓ１１：ＹＥＳ）には、カーソルキー１７の左右の操作に合わせてカーソル１６が左右に移動する（Ｓ１２）。
【００６４】
また、カーソルキー１７が押下されていない場合（Ｓ１１：ＮＯ）には、Ｓ１３によりアクセントキー２１が押下されたか否かが判断される。アクセントキー２１が押下された場合（Ｓ１３：ＹＥＳ）には、アクセント文字を入力する為の第２アクセント入力処理を行う（Ｓ１４）。尚、第２アクセント入力処理の詳細については後述する。
【００６５】
更に、アクセントキー２１についても押下されていない場合（Ｓ１３：ＮＯ）には、Ｓ１５によりアクセント入力設定処理が開始されるか否かが判断される。アクセント入力設定処理とは、前記Ｓ８及びＳ１４の第１アクセント入力処理、第２アクセント入力処理において、入力候補として表示されるアクセント文字の種類を選定する処理である。アクセント入力設定処理は、具体的にファンクションキー２０を押下し、それに続いてアクセントキー２１が押下された場合に開始される。そして、アクセント入力設定処理が行われる場合（Ｓ１５：ＹＥＳ）には、Ｓ１６でアクセント入力設定処理が行われた後、Ｓ３へと戻る。尚、アクセント入力設定処理の詳細については後述する。
【００６６】
一方、アクセント入力設定が開始されない場合には（Ｓ１５：ＮＯ）、Ｓ１７において、ＣＰＵ５１は、文字サイズの変更や、書体の変更など他の押下されたキーに対応する各種その他の処理を実行後、再度、Ｓ３以降の処理を実行する。
【００６７】
次に、前記Ｓ８において実行する第１アクセント入力処理について図８に基づいて説明する。第１アクセント入力処理は、前記したように、母体文字の文字入力キー１２が一定時間継続して押下された場合に、その文字入力キー１２に関連付けられたアクセント文字（文字キーに記載された母体文字に関連付けられたアクセント文字）を表示し、選択し、また入力を行うものである。その詳細について以下説明する。
まず、図８に示すように、Ｓ２１において、ＣＰＵ５１は、ＣａｐｓＬｏｃｋの状態の判定を行う。即ち、現在のアルファベットの入力が大文字で行われるか、小文字で行われているかが判断される。尚、電源投入時においては「アルファベット大文字」であり、Ｃａｐｓキー１４を押すたびに「アルファベット大文字」→「アルファベット小文字」→「アルファベット大文字」→・・・の順で切り換わる。尚、アルファベットの大文字、小文字を切り換える初期切り換え順番は初期切換順記憶領域５６Ａに記憶されている。
【００６８】
続いて、前記Ｓ４で押下された文字入力キー１２に関連付けられたアクセント文字の候補の数が単一か否かについての判断を行う（Ｓ２２）。アクセント文字は図５及び図６に示すように、各アルファベット「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の大文字１４種類、「ａ」、「ｃ」、「ｄ」、「ｅ」、「ｉ」、「ｌ」、「ｎ」、「ｏ」、「ｒ」、「ｓ」、「ｔ」、「ｕ」、「ｙ」、「ｚ」の小文字１４種類のそれぞれに関連付けられている。この内、「Ｙ」に関連付けられたアセント文字の候補は「アクサンテギュＹ」の一のみである。従って、大文字入力時において「Ｙ」の文字入力キー１２が継続して押されていた場合には、アクセント文字の候補が単一となる。
また、後述するアクセント入力設定処理により、押下された母体文字の文字入力キー１２に関連付けられたアクセント文字の候補が一つを除いて非表示とされた場合には、その特定の母体文字の文字入力キーに関連付けられたアクセント文字の候補の数が単一であると判断される。
【００６９】
前記Ｓ２２において、アクセント文字の候補が単一であると判断された場合（Ｓ２２：ＹＥＳ）には、候補のアクセント文字の一覧が表示されることなく、その単一候補のアクセント文字が自動的に選択され（Ｓ２３）、即入力されて液晶ディスプレイに表示される（Ｓ３０）。
【００７０】
一方、アクセント文字の候補が単一でないと判断された場合（Ｓ２２：ＮＯ）には、押下された文字入力キー１２の母体文字に関連付けられたアクセント文字の候補一覧が液晶ディスプレイ５上に表示される（Ｓ２４）。アクセント文字選択テーブル６０、６１（図５、図６参照）に従って、大文字入力時であれば、大文字のアクセント文字が表示され、小文字入力時であれば、小文字のアクセント文字が表示される。
【００７１】
そして、Ｓ２５において、ＣＰＵ５１により、装置本体表面部のキーボード２４に配置された各キー（図２参照）のいずれかが押下されたか否か判断され、押下されていない場合（Ｓ２５：ＮＯ）にはされるまで待機する。
続いて、いずれかのキーが押下された場合には（Ｓ２５：ＹＥＳ）、Ｓ２６において、先ずカーソルキー１７が押下されたか否かを判定する判定処理を実行する。カーソルキー１７は液晶ディスプレイ５上に表示されるカーソル１６（図９参照）の位置を左右に動かすものである。
カーソルキー１７が操作された場合（Ｓ２６：ＹＥＳ）には、カーソルキー１７の操作に合わせてカーソル１６が移動する（Ｓ２７）。その際、ユーザーは、前記Ｓ２４で表示されたアクセント文字の候補の一覧より入力を希望するアクセント文字にカーソル１６を移動させて選択することができる。
【００７２】
続いて、Ｓ２８でエンターキー１９が押下されたか否かが判断される。エンターキー１９が押下された場合（Ｓ２８：ＹＥＳ）には、現在カーソル１６が位置するアクセント文字の候補が選択され（Ｓ２９）、入力が行われるとともに液晶ディスプレイに表示される（Ｓ３０）。その後、メインフローチャートに戻る。
【００７３】
一方、エンターキー１９が押下されていないと判断された場合（Ｓ２８：ＮＯ）には、続いて、テンキー２６が押下されたか否かが判断される（Ｓ３１）。前記Ｓ２４で表示されたアクセント文字候補の選択は、前記Ｓ２９のカーソル１６による選択の他、アクセント文字候補に関連付けられた数字（アクセント文字選択テーブル６０、６１参照）を直接テンキー２６により押下することにより選択することもできる。テンキー２６が押下された場合（Ｓ３１：ＹＥＳ）には、押下された数字に基づいてアクセント文字の候補が選択され（Ｓ３２）、入力が行われるとともに液晶ディスプレイに表示される（Ｓ３０）。
【００７４】
更に、テンキー２６も押下されていないと判断された場合（Ｓ３１：ＮＯ）には、Ｃａｐｓキー１４が押下されたか否かが判断される（Ｓ３３）。Ｃａｐｓキー１４が押下された場合（Ｓ３３：ＹＥＳ）には、ＣＰＵ５１は、現在のＣａｐｓＬｏｃｋの状態の判定を行う（Ｓ３４）。即ち、現在のアルファベットの入力が大文字で行われるか、小文字で行われているかが判断される。そして、その判断結果に基づき、現在、大文字で入力が行われている場合には大文字のアクセント文字の候補を小文字のアクセント文字候補の表示に変更し、小文字で入力が行われている場合には小文字のアクセント文字の候補を大文字のアクセント文字候補の表示に変更する（Ｓ３５）。その後、変更したアクセント文字候補を一覧にして液晶ディスプレイ５に表示し（Ｓ２４）、再度処理を継続する。
一方、Ｃａｐｓキー１４も押下されていないと判断された場合（Ｓ３３：ＮＯ）には、Ｓ２６へと戻り、再度処理を行う。
【００７５】
以上より、第１実施形態に係る第１アクセント入力処理においては、文字入力キー１２を継続して押下し続けることにより、押下された文字入力キー１２に関連付けられたアクセント文字を表示画面に表示させるので、希望する種類のアクセント文字を迅速に表示させることが可能である。従って、アクセント文字の入力を迅速かつ簡易に行うことができる。
【００７６】
ここで、前記Ｓ８の第１アクセント入力処理において実行される液晶ディスプレイ５の表示画面の一例を図９に基づいて説明する。本例においては、「Ｇ」と「Ｒ」に続いてアクセント文字の「ウムラウトＯ」を入力するものである。
図９の（Ａ）に示すように、通常の文章入力画面７０において、Ｃａｐｓキー１４で大文字入力状態に設定し、先ず「Ｇ」と「Ｒ」を文字入力キー１２で入力する。その後、文字入力キー１２の「Ｏ」を継続して長押しする。すると、（Ｂ）に示すように、選択候補表示画面７１に移行し、母体文字「Ｏ」に関連付けられたアクセント文字の一覧が液晶ディスプレイ５上に表示される。
【００７７】
ユーザーは、カーソルキー１７を操作し、表示されたアクセント文字の一覧から「ウムラウトＯ」にカーソル１６を合わせエンターキー１９を押す。その結果、（Ｃ）に示すように、通常の文章入力画面７０へと表示が戻るとともに、「Ｇ」と「Ｒ」に続いてアクセント文字の「ウムラウトＯ」が入力される。
尚、選択候補表示画面７１に表示されたアクセント文字の候補より希望するアクセント文字を選択する際にはテンキー２６により選択することも可能である。「ウムラウトＯ」はアクセント文字選択テーブル６０に示すように数字「１」に関連付けられているので、「１」を押すことにより選択することもできる。
【００７８】
また、母体文字に関連付けられたアクセント文字候補が一つのみである「アクサンテギュＹ」を入力する際には、通常の文章入力画面７０において文字入力キー１２の「Ｙ」を継続して長押しすると、選択候補表示画面７１には移行せず、「アクサンテギュＹ」が即入力される。従って、アクセント文字の選択を行う必要がなく、アクセント文字の入力をより迅速かつ簡易に行うことができる。
【００７９】
次に、前記Ｓ１４において実行する第２アクセント入力処理について図１０に基づいて説明する。第２アクセント入力処理は、前記したように、アクセントキー２１が押下された場合に、アクセント文字の候補の一覧を表示し、アクセント文字の入力を行うものである。その詳細について以下説明する。
まず、図１０に示すように、Ｓ４１において、ＣＰＵ５１は、ＣａｐｓＬｏｃｋの状態の判定を行う。即ち、現在のアルファベットの入力が大文字で行われるか、小文字で行われているかが判断される。尚、電源投入時においては「アルファベット大文字」であり、Ｃａｐｓキー１４を押すたびに「アルファベット大文字」→「アルファベット小文字」→「アルファベット大文字」→・・・の順で切り換わる。尚、アルファベットの大文字、小文字を切り換える初期切り換え順番は初期切換順記憶領域５６Ａに記憶されている。
【００８０】
続いて、液晶ディスプレイ５に表示されるアクセント文字の候補の数が単一か否かについての判断を行う（Ｓ４２）。アクセント文字は図５及び図６に示すように、大文字１４種類、小文字１４種類のそれぞれに関連付けられている。そして、後述するアクセント入力設定処理により、各母体文字に関連付けられたアクセント文字の候補が一つを除いて非表示とされた場合には、アクセント文字の候補の数が単一であると判断される。
【００８１】
前記Ｓ４２において、アクセント文字の候補が単一であると判断された場合（Ｓ４２：ＹＥＳ）には、候補のアクセント文字の一覧が表示されることなく、その単一候補のアクセント文字が自動的に選択され（Ｓ４３）、即入力されて液晶ディスプレイに表示される（Ｓ５０）。
【００８２】
一方、アクセント文字の候補が単一でないと判断された場合（Ｓ４２：ＮＯ）には、アクセント文字の候補一覧が液晶ディスプレイ５上に表示される（S４４）。その際、最初に表示されるアクセント文字の候補は母体文字「Ａ」若しくは「ａ」に関連付けられたアクセント文字である（図１１参照）。ただし、電源投入後、既にアクセント文字の入力を行っており、続けてアクセント文字の入力を行う場合には、前回に入力したアクセント文字を含む候補の一覧が最初に表示される。例えば、アクセント文字「ウムラウトＯ」を前回入力した場合には、母体文字「Ｏ」に関連付けられたアクセント文字が表示される。
【００８３】
そして、Ｓ４５において、ＣＰＵ５１により、装置本体表面部のキーボード２４に配置された各キー（図２参照）のいずれかが押下されたか否か判断され、押下されていない場合にはされるまで待機する（Ｓ４５：ＮＯ）。
続いて、いずれかのキーが押下された場合には（Ｓ４５：ＹＥＳ）、Ｓ４６において、先ずカーソルキー１７が押下されたか否かを判定する判定処理を実行する。カーソルキー１７は液晶ディスプレイ５上に表示されるカーソル１６（図１１参照）の位置を左右に動かすものである。
カーソルキー１７が操作された場合（Ｓ４６：ＹＥＳ）には、カーソルキー１７の操作に合わせてカーソル１６が移動する（Ｓ４７）。その際、ユーザーは、前記Ｓ４４で表示されたアクセント文字の候補より入力を希望するアクセント文字にカーソル１６を移動させて選択することができる。
【００８４】
続いて、カーソルキー１７が操作されていないと判断された場合（Ｓ４６：ＮＯ）には、Ｓ４８でエンターキー１９が押下されたか否かが判断される。エンターキー１９が押下された場合（Ｓ４８：ＹＥＳ）には、現在カーソル１６が位置するアクセント文字の候補が選択され（Ｓ４９）、入力が行われるとともに液晶ディスプレイに表示される（Ｓ５０）。その後、メインフローチャートに戻る。
【００８５】
一方、エンターキー１９が押下されていないと判断された場合（Ｓ４８：ＮＯ）には、続いて、テンキー２６が押下されたか否かが判断される（Ｓ５１）。前記Ｓ４２で表示されたアクセント文字候補の選択は、前記Ｓ４９のカーソル１６による選択の他、アクセント文字候補に関連付けられた数字（アクセント文字選択テーブル６０、６１参照）を直接テンキー２６により押下することにより選択することもできる。テンキー２６が押下された場合（Ｓ５１：ＹＥＳ）には、押下された数字に基づいてアクセント文字の候補が選択され（Ｓ５２）、入力が行われるとともに液晶ディスプレイに表示される（Ｓ５０）。
【００８６】
更に、テンキー２６も押下されていないと判断された場合（Ｓ５１：ＮＯ）には、ＣＰＵ５１により、アクセントキー２１が押下されたか否か判断される（Ｓ５３）。アクセントキー２１が押下されたと判断された場合（Ｓ５３：ＹＥＳ）には、現在液晶ディスプレイ５上に表示されているアクセント文字の候補を変更する（Ｓ５４）。具体的には、アクセントキー２１を押す度に、母体文字のアルファベット順（「Ａ」→「Ｃ」→「Ｄ」→・・・・→「Ｚ」→「Ａ」→・・・の順、小文字についても同様）に表示されるアクセント文字候補の一覧が切り換わる（図１１参照）。そして、変更したアクセント文字候補を一覧にして液晶ディスプレイ５に表示し（Ｓ４４）、再度処理を継続して行う。
【００８７】
また、アクセントキー２１が押下されていないと判断された場合（Ｓ５３：ＮＯ）には、ＣＰＵ５１により、母体文字（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類）の文字入力キー１２が押下されたか否か判断される（Ｓ５５）。母体文字の文字入力キー１２が押下されたと判断された場合（Ｓ５５：ＹＥＳ）には、現在液晶ディスプレイ５上に表示されているアクセント文字の候補を変更する（Ｓ５４）。具体的には、押下された母体文字に関連付けられたアクセント文字の候補の一覧に表示を切り換える。例えば、文字入力キー「Ｎ」を押した場合においては、母体文字「Ｎ」に関連付けられたアクセント文字の「アクサンテギュＮ」、「キャロンＮ」、「チルドＮ」が表示される。そして、変更したアクセント文字候補を一覧にして液晶ディスプレイ５に表示し（Ｓ４４）、再度処理を継続して行う。
【００８８】
更に、母体文字入力キー１２についても押下されていないと判断された場合（Ｓ５５：ＮＯ）には、Ｃａｐｓキー１４が押下されたか否かが判断される（Ｓ５６）。Ｃａｐｓキー１４が押下された場合（Ｓ５６：ＹＥＳ）には、ＣＰＵ５１は、現在のＣａｐｓＬｏｃｋの状態の判定を行う（Ｓ５７）。即ち、現在のアルファベットの入力が大文字で行われるか、小文字で行われているかが判断される。そして、その判断結果に基づき、現在、大文字で入力が行われている場合には大文字のアクセント文字の候補を小文字のアクセント文字候補の表示に変更し、小文字で入力が行われている場合には小文字のアクセント文字の候補を大文字のアクセント文字候補の表示に変更する（Ｓ５８）。その後、変更したアクセント文字候補を一覧にして液晶ディスプレイ５に表示し（Ｓ４４）、再度処理を継続して行う。
一方、Ｃａｐｓキー１４も押下されていないと判断された場合（Ｓ５６：ＮＯ）には、Ｓ４６へと戻り、再度処理を行う。
【００８９】
ここで、前記Ｓ１４の第２アクセント入力処理において実行される液晶ディスプレイ５の表示画面の一例を図１１に基づいて説明する。本例においては、「Ｇ」と「Ｒ」に続いてアクセント文字の「ウムラウトＯ」を入力するものである。
図１１の（Ａ）に示すように、通常の文章入力画面７０において、Ｃａｐｓキー１４で大文字入力状態に設定し、先ず「Ｇ」と「Ｒ」を文字入力キー１２で入力する。その後、アクセントキー２１を押下する。すると、（Ｂ）に示すように、選択候補表示画面７１に移行し、母体文字「Ａ」に関連付けられたアクセント文字の一覧が液晶ディスプレイ５上に表示される。
【００９０】
ユーザーは、アクセントキー２１を押してアクセント文字の候補一覧を順次切り換える。アクセント文字は関連付けられた母体文字のアルファベット順（「Ａ」→「Ｃ」→「Ｄ」→・・・・→「Ｚ」→「Ａ」→・・・の順）に切り換わる。そして、母体文字「Ｏ」に関連付けられたアクセント文字候補が表示された際にアクセントキー２１の操作を止め、続いてカーソルキー１７を操作し、表示されたアクセント文字の一覧から「ウムラウトＯ」にカーソル１６を合わせエンターキー１９を押す。その結果、（Ｃ）に示すように、通常の文章入力画面７０へと表示が戻るとともに、「Ｇ」と「Ｒ」に続いてアクセント文字の「ウムラウトＯ」が入力される。
尚、選択候補表示画面７１に表示されたアクセント文字の候補より希望するアクセント文字を選択する際にはテンキー２６により選択することも可能である。「ウムラウトＯ」はアクセント文字選択テーブル６０に示すように「１」を押すことにより選択することができる。
【００９１】
また、（Ｂ）の選択候補表示画面７１において、母体文字「Ｏ」に関連付けられたアクセント文字候補を表示させる方法として、前記したようにアクセントキー２１によりアクセント文字を順次切り換えて行う他、文字入力キー「Ｏ」を押すことによっても母体文字「Ｏ」に関連付けられたアクセント文字候補を表示させることも可能である。
【００９２】
次に、前記Ｓ１６において実行するアクセント入力設定処理について図１２に基づいて説明する。アクセント入力設定処理は、前記したようにファンクションキー２０を押下し、それに続いてアクセントキー２１が押下された場合に開始され、前記Ｓ８及びＳ１４の第１アクセント入力処理、第２アクセント入力処理において、選択候補表示画面７１（図９、図１１参照）に候補として表示されるアクセント文字の種類を選定する処理である。その詳細について以下説明する。
まず、図１２に示すように、Ｓ６１において、ＣＰＵ５１は、ＣａｐｓＬｏｃｋの状態の判定を行う。即ち、現在のアルファベットの入力が大文字で行われるか、小文字で行われているかが判断される。尚、電源投入時においては「アルファベット大文字」であり、Ｃａｐｓキー１４を押すたびに「アルファベット大文字」→「アルファベット小文字」→「アルファベット大文字」→・・・の順で切り換わる。尚、アルファベットの大文字、小文字を切り換える初期切り換え順番は初期切換順記憶領域５６Ａに記憶されている。
【００９３】
続いて、アクセント文字の候補一覧が液晶ディスプレイ５上に表示される（S６２）。その際、最初に表示されるアクセント文字の候補は母体文字「Ａ」若しくは「ａ」に関連付けられたアクセント文字である（図１３参照）。
【００９４】
そして、Ｓ６３において、ＣＰＵ５１により、装置本体表面部のキーボード２４に配置された各キー（図２参照）のいずれかが押下されたか否か判断され、押下されていない場合にはされるまで待機する（Ｓ６３：ＮＯ）。
続いて、いずれかのキーが押下された場合には（Ｓ６３：ＹＥＳ）、Ｓ６４において、先ずカーソルキー１７が押下されたか否かを判定する判定処理を実行する。カーソルキー１７は液晶ディスプレイ５上に表示されるカーソル１６（図１３参照）の位置を左右に動かすものである。
【００９５】
カーソルキー１７が操作された場合（Ｓ６４：ＹＥＳ）には、カーソルキー１７の操作に合わせてカーソル１６が移動する（Ｓ６５）。その際、ユーザーは、前記Ｓ６２で表示されたアクセント文字の候補の内、前記第１アクセント入力処理、第２アクセント入力処理のＳ２４及びＳ４４でそれぞれ選択候補表示画面７１に表示されるアクセント文字の候補一覧（図９、図１１参照）の内より、次回より候補として表示させなくするよう希望するアクセント文字にカーソル１６を移動させて選択することができる。
第１実施形態に係るテープ印字装置１では、フランス語、ドイツ語、イタリア語、スペイン語等の欧州各地で使用されるすべてのアクセント文字が含まれる一方、ユーザーの使用する言語によっては使用されることのないアクセント文字や、ほとんど使用されないアクセント文字が存在する。このようなアクセント文字を毎回表示することは操作の煩雑化を招くこととなる。従って、選択したアクセント文字を表示させなくすることにより、アクセント文字の入力を迅速かつ簡易に行うことができるようにするものである。
【００９６】
続いて、Ｓ６６でＤｅｌｅｔｅキー２２が押下されたか否かが判断される。Ｄｅｌｅｔｅキー２２が押下された場合（Ｓ６６：ＹＥＳ）には、更にＳ６７において、カーソル１６が非表示あり印７３（図１４参照）上に位置するか否かが判断される。非表示あり印７３とは、現在表示されているアクセント文字の候補一覧において、後述するＳ６９により非表示としたアクセント文字が存在する場合に、そのアクセント文字の一覧の最後に追加されて表示されるものである。
【００９７】
そして、カーソル１６が非表示あり印７３上に位置しない場合（Ｓ６７：ＮＯ）、即ち、アクセント文字上にカーソル１６が位置する場合には、カーソル１６位置にあるアクセント文字が非表示設定となり、液晶ディスプレイ５上から削除される（Ｓ６８）。更に、Ｓ６９により現在、非表示あり印７３が既に液晶ディスプレイ５上に表示されているか否か判断され、非表示あり印７３が表示されていなかった場合（Ｓ６９：ＮＯ）には、表示されているアクセント文字候補の一覧の最後に非表示あり印７３を追加して表示させる（Ｓ７０）。一方、非表示あり印７３が既に表示されている場合（Ｓ６９：ＹＥＳ）には、非表示あり印７３を追加表示することなくＳ６２へと戻り、アクセント文字が削除された状態でのアクセント文字の候補の一覧を再度表示する。ここで、液晶ディスプレイ５には、非表示あり印７３が２つ以上表示されることはない。
【００９８】
また、カーソル１６が非表示あり印７３上に位置する場合（Ｓ６７：ＹＥＳ）には、現在表示されている同一母体文字に関連付けられたアクセント文字候補の内、前記Ｓ６８で非表示としたアクセント文字をすべて復帰させる（Ｓ７１）。そして、復帰した状態に基づいてアクセント文字の候補の一覧を再度表示する（Ｓ６２）。
【００９９】
一方、Ｄｅｌｅｔｅキー２２が押下されていないと判断された場合（Ｓ６６：ＮＯ）には、ＣＰＵ５１により、アクセントキー２１が押下されたか否か判断される（Ｓ７２）。アクセントキー２１が押下されたと判断された場合（Ｓ７２：ＹＥＳ）には、現在液晶ディスプレイ５上に表示されているアクセント文字の候補を変更する（Ｓ７３）。具体的には、アクセントキー２１を押す度に、母体文字のアルファベット順（「Ａ」→「Ｃ」→「Ｄ」→・・・・→「Ｚ」→「Ａ」→・・・の順、小文字についても同様）に表示されるアクセント文字候補の一覧が切り換わる（図１３参照）。そして、変更したアクセント文字候補を一覧にして液晶ディスプレイ５に表示し（Ｓ６２）、再度処理を継続して行う。
【０１００】
また、アクセントキー２１が押下されていないと判断された場合（Ｓ７２：ＮＯ）には、ＣＰＵ５１により、母体文字（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類）の文字入力キー１２が押下されたか否か判断される（Ｓ７４）。母体文字の文字入力キー１２が押下されたと判断された場合（Ｓ７４：ＹＥＳ）には、現在液晶ディスプレイ５上に表示されているアクセント文字の候補を変更する（Ｓ７３）。具体的には、押下された母体文字に関連付けられたアクセント文字の候補の一覧に表示を切り換える。例えば、文字入力キー「Ｎ」を押した場合においては、母体文字「Ｎ」に関連付けられたアクセント文字の「アクサンテギュＮ」、「キャロンＮ」、「チルドＮ」が表示される。そして、変更したアクセント文字候補を一覧にして液晶ディスプレイ５に表示し（Ｓ６２）、再度処理を継続して行う。
【０１０１】
更に、母体文字の文字入力キー１２についても押下されていないと判断された場合（Ｓ７４：ＮＯ）には、Ｃａｐｓキー１４が押下されたか否かが判断される（Ｓ７５）。Ｃａｐｓキー１４が押下された場合（Ｓ７５：ＹＥＳ）には、ＣＰＵ５１は、現在のＣａｐｓＬｏｃｋの状態の判定を行う（Ｓ７６）。即ち、現在のアルファベットの入力が大文字で行われるか、小文字で行われているかが判断される。そして、その判断結果に基づき、現在、大文字で入力が行われている場合には大文字のアクセント文字の候補を小文字のアクセント文字候補の表示に変更し、小文字で入力が行われている場合には小文字のアクセント文字の候補を大文字のアクセント文字候補の表示に変更する（Ｓ７７）。その後、変更したアクセント文字候補を一覧にして液晶ディスプレイ５に表示し（Ｓ６２）、再度処理を継続して行う。
【０１０２】
一方、Ｃａｐｓキー１４も押下されていないと判断された場合（Ｓ７５：ＮＯ）には、エンターキー１９が押下されているかが判断される（Ｓ７８）。そして、エンターキー１９が押下されたと判断された場合（Ｓ７８：ＹＥＳ）には、アクセント入力設定処理を終了し、メインフローチャートへと戻る。また、エンターキー１９が押下されていないと判断された場合（Ｓ７８：ＮＯ）には、Ｓ６４へと戻り、再度処理を行う。
【０１０３】
以上より、第１実施形態に係るアクセント入力設定処理においては、ユーザーにとって表示を必要としない特定のアクセント文字を液晶ディスプレイ５に表示させることなく、特定のアクセント文字を除いたアクセント文字中よりアクセント文字の選択を行うことができる。従って、アクセント文字の入力を迅速かつ簡易に行うことができる。更に、一旦非表示としたアクセント文字を再度復帰して、アクセント文字候補として表示させることができるので、様々な言語において文章入力装置を使用する際にも、各言語ごとに表示又は非表示とするアクセント文字を変更することが可能である。
【０１０４】
ここで、前記Ｓ１６のアクセント入力設定処理において実行される液晶ディスプレイ５の表示画面の一例を図１３及び図１４に基づいて説明する。図１３はアクセント文字候補を非表示とする一例である。本例においては、母体文字「Ｕ」に関連付けられたアクセント文字の候補より「ハットＵ」を非表示とするものである。
【０１０５】
図１３の（Ａ）に示すように、先ずファンクションキー２０を押下し、それに続いてアクセントキー２１を押下すると、選択候補表示画面７１において、母体文字「Ａ」に関連付けられたアクセント文字の一覧が液晶ディスプレイ５上に表示される。
その後、ユーザーは、アクセントキー２１を押してアクセント文字の候補一覧を順次切り換える。アクセント文字は関連付けられた母体文字のアルファベット順（「Ａ」→「Ｃ」→「Ｄ」→・・・・→「Ｚ」→「Ａ」→・・・の順）に切り換わる。そして、母体文字「Ｕ」に関連付けられたアクセント文字候補が表示された際にアクセントキー２１の操作を止め、続いてカーソルキー１７を操作する。更に、（Ｂ）に示すように、表示されたアクセント文字の一覧から「ハットＵ」にカーソル１６を合わせ、Ｄｅｌｅｔｅキー２２を押す。その結果、（Ｃ）に示すように、「ハットＵ」は削除され、代わりに非表示あり印７３が一覧の最後に追加表示される。
また、更に他のアクセント文字を非表示とする場合（例えば、「ハットＵ」に加え、「アクサングローヴＵ」を非表示とする場合）には、上記と同様に「アクサングローヴＵ」にカーソル１６を合わせ、Ｄｅｌｅｔｅキー２２を押す。その結果、「アクサングローヴＵ」についても削除される。ただし、非表示あり印７３が２つ以上表示されることはないので、非表示あり印７３が追加表示されることはない。
尚、（Ａ）の選択候補表示画面７１において、母体文字「Ｕ」に関連付けられたアクセント文字候補を表示させる方法として、前記したようにアクセントキー２１によりアクセント文字を順次切り換えて行う他、文字入力キー「Ｕ」を押すことによっても母体文字「Ｕ」に関連付けられたアクセント文字候補を表示させることも可能である。
【０１０６】
一方、図１４はアクセント文字候補を復帰させる一例である。本例においては、母体文字「Ｕ」に関連付けられたアクセント文字の候補より非表示とした「ハットＵ」を復帰させるものである。
【０１０７】
図１４の（Ａ）に示すように、先ずファンクションキー２０を押下し、それに続いてアクセントキー２１を押下すると、選択候補表示画面７１において、母体文字「Ａ」に関連付けられたアクセント文字の一覧が液晶ディスプレイ５上に表示される。
その後、ユーザーは、アクセントキー２１を押してアクセント文字の候補一覧を順次切り換える。アクセント文字は関連付けられた母体文字のアルファベット順（「Ａ」→「Ｃ」→「Ｄ」→・・・・→「Ｚ」→「Ａ」→・・・の順）に切り換わる。そして、母体文字「Ｕ」に関連付けられたアクセント文字候補が表示された際にアクセントキー２１の操作を止め、続いてカーソルキー１７を操作する。更に、（Ｂ）に示すように、表示されたアクセント文字の一覧から「非表示あり印７３」にカーソル１６を合わせＤｅｌｅｔｅキー２２を押す。その結果、（Ｃ）に示すように、非表示とされていた「ハットＵ」は復帰し、非表示あり印７３は削除される。
尚、（Ａ）の選択候補表示画面７１においても同様に、母体文字「Ｕ」に関連付けられたアクセント文字候補を表示させる方法として、アクセントキー２１によりアクセント文字を順次切り換えて行う他、文字入力キー「Ｕ」を押すことによっても母体文字「Ｕ」に関連付けられたアクセント文字候補を表示させることも可能である。
【０１０８】
以上説明した通り、第１実施形態に係るテープ印字装置１では、アクセント文字を入力する際に液晶ディスプレイ５に表示させる（Ｓ２４、Ｓ４４）アクセント文字の内、特定のアクセント文字を候補として表示させなくするように設定する（Ｓ６８）ことが可能である。従って、ユーザーにとって普段使用しないアクセント文字を候補から除外し、アクセント文字を候補から選択する際の選択肢を狭くすることによって、アクセント文字の入力を迅速かつ簡易に行うことができる。また、一旦非表示としたアクセント文字を再度復帰して、アクセント文字候補として表示させることができる（Ｓ７１）ので、様々な言語において文章入力装置を使用する際にも、各言語ごとに表示又は非表示とするアクセント文字を変更することが可能である。
【０１０９】
また、アクセント文字は母体文字の文字入力キー１２を継続して長押しすることにより、その文字入力キー１２に関連付けられたアクセント文字の一覧を表示させることが可能である（Ｓ２４）。従って、希望する種類のアクセント文字を迅速に表示させることが可能である。継続して押下された文字入力キーに関連付けられたアクセント文字が唯一の場合（Ｓ２２：ＹＥＳ）には、唯一のアクセント文字を自動的に選択し（Ｓ２３）、入力するので、アクセント文字の選択を行う必要がなく、アクセント文字の入力をより迅速かつ簡易に行うことができる。
また、選択候補表示画面７１においては、複数のアクセント文字を一覧にして液晶ディスプレイ５に表示させるので、希望するアクセント文字を容易に選択することが可能である。更に、Ｃａｐｓキー１４を押下することにより候補として表示されたアクセント文字の大文字と小文字を容易に切り換えることも可能である。従って、アクセント文字の小文字と大文字を間違えて表示させた場合であっても、その修正を容易に行うことができる。
【０１１０】
次に、第２実施形態に係るテープ印字装置について図１５乃至図１７に基づいて説明する。尚、上記第１実施形態に係るテープ印字装置１と同一符号は、上記第１実施形態に係るテープ印字装置１と同一あるいは相当部分を示すものである。
この第２実施形態に係るテープ印字装置の全体構成及び制御系の構成は、第１実施形態に係るテープ印字装置１とほぼ同じ構成である。また、第２実施形態に係るテープ印字装置の制御処理は、第１実施形態に係るテープ印字装置１の制御処理とほぼ同じ制御処理である。
ただし、第２アクセント入力処理が後述のように上記第１実施形態と異なっている。
【０１１１】
先ず、第２実施形態に係るテープ印字装置の第２アクセント入力処理について図１５に基づいて説明する。
ここで、第２実施形態に係るテープ印字装置の第２アクセント入力処理は、図７のメインフローチャートの制御処理の前記Ｓ６により文字が入力され、既に液晶ディスプレイ５上に文章が表示された状態において、前記Ｓ１２によりカーソル１６を母体文字のアルファベットに合わせて更にアクセントキー２１を押す（Ｓ１３：ＹＥＳ）ことにより開始される点で第１実施形態に係る第２アクセント入力処理と異なっている。そして、カーソル１６が合わされた母体文字のアルファベットを、その母体文字に関連付けられたアクセント文字に変更するものである。
【０１１２】
図１５に示すように、先ずＳ８１において、ＣＰＵ５１は、前記Ｓ１２によりカーソル１６が合わされたアルファベットが母体文字（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の大文字１４種類、「ａ」、「ｃ」、「ｄ」、「ｅ」、「ｉ」、「ｌ」、「ｎ」、「ｏ」、「ｒ」、「ｓ」、「ｔ」、「ｕ」、「ｙ」、「ｚ」の小文字１４種類）か否かが判断される。母体文字でない場合（Ｓ８１：ＮＯ）には、アクセント文字の候補は表示することなく、メインフローチャートへと戻る。
一方、母体文字である場合（Ｓ８１：ＹＥＳ）には、続いて、ＣａｐｓＬｏｃｋの状態の判定を行う。即ち、現在のアルファベットの入力が大文字で行われるか、小文字で行われているかが判断される（Ｓ８２）。尚、電源投入時においては「アルファベット大文字」であり、Ｃａｐｓキー１４を押すたびに「アルファベット大文字」→「アルファベット小文字」→「アルファベット大文字」→・・・の順で切り換わる。尚、アルファベットの大文字、小文字を切り換える初期切り換え順番は初期切換順記憶領域５６Ａに記憶されている。
【０１１３】
次に、カーソル１６位置の母体文字に関連付けられたアクセント文字の候補の数が単一か否かについての判断を行う（Ｓ８３）。アクセント文字は図５及び図６に示すように、母体文字の各アルファベットにそれぞれ関連付けられている。この内、「Ｙ」に関連付けられたアセント文字の候補は「アクサンテギュＹ」の一のみである。従って、「Ｙ」にカーソルキー１６があった状態でアクセントキーが押された場合には、アクセント文字の候補の数が単一となる。
また、アクセント入力設定処理により、カーソル１６位置の母体文字に関連付けられたアクセント文字の候補が一つを除いて非表示とされた場合には、その母体文字に関連付けられたアクセント文字の候補の数が単一であると判断される。
【０１１４】
前記Ｓ８２において、アクセント文字の候補が単一であると判断された場合（Ｓ８３：ＹＥＳ）には、候補のアクセント文字が順に表示されることなく、その単一候補のアクセント文字が自動的に選択され（Ｓ８４）、即入力されて液晶ディスプレイに表示される（Ｓ８９）。
【０１１５】
一方、アクセント文字の候補が単一でないと判断された場合（Ｓ８３：ＮＯ）には、押下された文字入力キー１２の母体文字に関連付けられたアクセント文字の候補のうち、アクセント文字選択テーブル６０、６１で最も左に位置するアクセント文字（図５、図６参照）の一字が液晶ディスプレイ５上に表示される（Ｓ８５）。
【０１１６】
そして、Ｓ８６において、ＣＰＵ５１により、装置本体表面部のキーボード２４に配置された各キー（図２参照）のいずれかが押下されたか否か判断さる。いずれのキーも押下されていない場合（Ｓ８６：ＮＯ）、即ち、現在表示されているアクセント文字の入力を希望する場合にはその文字により入力が行われ（Ｓ９０）、決定される。
【０１１７】
一方、いずれかのキーが押下された場合には（Ｓ８６：ＹＥＳ）、ＣＰＵ５１により、アクセントキー２１が押下されたか否か判断される（Ｓ８７）。アクセントキー２１が押下されたと判断された場合（Ｓ８７：ＹＥＳ）には、現在液晶ディスプレイ５上に表示されているアクセント文字の候補を変更する（Ｓ８８）。具体的には、アクセントキー２１を押す度に、アクセント文字選択テーブル６０、６１の左から右へ順に表示されるアクセント文字が変更される（例えば、母体文字「Ｏ」に関連付けられたアクセント文字では「ラムラウトＯ」→「アクサンテギュＯ」→「アクサングローヴＯ」→・・・「リガチャーＯ」→「ラムラウトＯ」→・・・の順、図１７参照）。
【０１１８】
そして、Ｓ８９において、再び、各キー（図２参照）のいずれかが押下されたか否か判断さる。いずれのキーも押下されていない場合（Ｓ８９：ＮＯ）、即ち、現在表示されているアクセント文字の入力を希望する場合にはその文字により入力が行われ（Ｓ９０）、決定される。
一方、いずれかのキーが押下された場合（Ｓ８９：ＹＥＳ）、即ち、現在表示されているアクセント文字の候補を変更したい場合には、Ｓ８７へと戻り、各キー操作により表示されるアクセント文字の候補を変更する。
【０１１９】
また、アクセントキー２１が押下されていないと判断された場合（Ｓ８７：ＮＯ）には、ＣＰＵ５１により、母体文字（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類）の文字入力キー１２が押下されたか否か判断される（Ｓ９１）。母体文字の文字入力キー１２が押下されたと判断された場合（Ｓ９１：ＹＥＳ）には、現在液晶ディスプレイ５上に表示されているアクセント文字の候補を変更する（Ｓ９２）。具体的には、押下された母体文字に関連付けられたアクセント文字の候補の内、アクセント文字選択テーブル６０、６１で最も左に位置するアクセント文字（図５、図６参照）の一字が液晶ディスプレイ５上に表示される。例えば、文字入力キー「Ｎ」を押した場合においてはアクセント文字の「アクサンテギュＮ」が表示される。そして、Ｓ８９で、キー入力が行われたかが判断され、以後処理を継続して行う。
【０１２０】
更に、母体文字入力キー１２についても押下されていないと判断された場合（Ｓ９１：ＮＯ）には、Ｃａｐｓキー１４が押下されたか否かが判断される（Ｓ９３）。Ｃａｐｓキー１４が押下された場合（Ｓ９３：ＹＥＳ）には、ＣＰＵ５１は、現在のＣａｐｓＬｏｃｋの状態の判定を行う（Ｓ９４）。即ち、現在のアルファベットの入力が大文字で行われるか、小文字で行われているかが判断される。そして、その判断結果に基づき、現在、大文字で入力が行われている場合には大文字のアクセント文字の候補を小文字のアクセント文字候補の表示に変更し、小文字で入力が行われている場合には小文字のアクセント文字の候補を大文字のアクセント文字候補の表示に変更する（Ｓ９５）。その後、Ｓ８９で、キー入力が行われたかが判断され、以後処理を継続して行う。
【０１２１】
一方、Ｃａｐｓキー１４も押下されていないと判断された場合（Ｓ９３：ＮＯ）には、Ｓ８７へと戻り、再度処理を行う。
【０１２２】
以上より、第２実施形態に係る第２アクセント入力処理では、一旦通常のアルファベットによる文章を入力し、文章入力を完了した後にカーソル１６を移動させ、カーソル位置の母体文字をアクセント文字に変更することにより、文章中にアクセント文字をまとめて入力することが可能である（Ｓ９０）。従って、アクセント文字の入力の効率を向上させ、入力作業も容易となる。また、アクセント文字を間違って入力した場合においても、間違って入力したアクセント文字を削除することなく、そのアクセント文字を他のアクセント文字に変更することが可能である（Ｓ８８、Ｓ９２、Ｓ９５）。
更に、カーソル１６に合わされた文字に関連付けられたアクセント文字が唯一の場合（Ｓ８３：ＹＥＳ）には、自動的に唯一のアクセント文字を選択し（Ｓ８４）、入力を行うので、アクセント文字の選択を行う必要がなく、アクセント文字の入力をより迅速かつ簡易に行うことができる。
【０１２３】
ここで、第２実施形態に係る第２アクセント入力処理において実行される液晶ディスプレイ５の表示画面の一例を図１６及び図１７に基づいて説明する。本例においては、「ＧＲＯＳＳＥ」の「Ｏ」をアクセント文字の「ウムラウトＯ」に変更するものである。
図１６（Ａ）に示すように、通常の文章入力画面７０において、Ｃａｐｓキー１４で大文字入力状態に設定し、先ず「Ｇ」、「Ｒ」、「Ｏ」、「Ｓ」、「Ｓ」、「Ｅ」を文字入力キー１２で入力する。
その後、図１６（Ｂ）に示すように、カーソルキー１７を操作し、入力された「ＧＲＯＳＳＥ」の内、「Ｏ」の位置にカーソル１６が位置するようにカーソル１６を移動させる。
【０１２４】
その状態で、アクセントキー２１を押下する。すると、（Ｃ）に示すように、カーソル１６の位置する「Ｏ」のアルファベット文字が、母体文字「Ｏ」に関連付けられたアクセント文字の内、アクセント文字選択テーブル６０、６１の最も左に位置するアクセント文字である「ラムラウトＯ」に変更される。
その後、カーソルキー１７を操作し、カーソル１６を任意の場所に移動させ、文章入力を続ける。
【０１２５】
尚、図１７に示すように、画面（Ｃ）で、アクセントキーを押した際に母体文字から変更されるアクセント文字は、アクセントキー２１を押す毎にアクセント文字選択テーブル６０、６１の最も左に位置するアクセント文字から右へ順に順次切り換わる。例えば、母体文字「Ｏ」に合わせてアクセントキー２１を押した際には「ラムラウトＯ」→「アクサンテギュＯ」→「アクサングローヴＯ」→・・・「リガチャーＯ」→「ラムラウトＯ」→・・・の順に切り換わる。
また、これらのアクセント文字選択時において、母体文字の文字入力キー１２を押下すると、その母体文字に関連付けられたアクセント文字の候補に切り換わる。更に、Ｃａｐｓキー１４を押下すると、アクセント文字の大文字と小文字が切り換わる。
【０１２６】
以上説明した通り、第２実施形態に係るテープ印字装置１では、一旦通常のアルファベットによる文章を入力し、文章入力を完了した後に、文章中にアクセント文字をまとめて入力することが可能である（Ｓ９０）。従って、アクセント文字の入力の効率を向上させ、入力作業も容易となる。また、アクセント文字を間違って入力した場合においても、間違って入力したアクセント文字を削除することなく、そのアクセント文字を他のアクセント文字に変更することが可能である（Ｓ８８、Ｓ９２、Ｓ９５）。
更に、カーソル１６に合わされた文字に関連付けられたアクセント文字が唯一の場合（Ｓ８３：ＹＥＳ）には、自動的に唯一のアクセント文字を選択し（Ｓ８４）、入力を行うので、アクセント文字の選択を行う必要がなく、アクセント文字の入力をより迅速かつ簡易に行うことができる。
また、アクセント文字の候補の表示は、一のアクセント文字を表示するとともに他のアクセント文字を順次切り換えて表示させる（Ｓ８８、Ｓ９２、Ｓ９５）ので、希望するアクセント文字を容易に選択することが可能である。従って、アクセント文字の入力を迅速かつ簡易に行うことができる。
【０１２７】
次に、第３実施形態に係るテープ印字装置について図１８及び図１９に基づいて説明する。尚、上記第１実施形態に係るテープ印字装置１と同一符号は、上記第１実施形態に係るテープ印字装置１と同一あるいは相当部分を示すものである。
この第３実施形態に係るテープ印字装置の全体構成及び制御系の構成は、第１実施形態に係るテープ印字装置１とほぼ同じ構成である。また、第３実施形態に係るテープ印字装置の制御処理は、第１実施形態に係るテープ印字装置１の制御処理とほぼ同じ制御処理である。
ただし、アクセント入力設定処理が後述のように上記第１実施形態と異なっている。
【０１２８】
先ず、第３実施形態に係るテープ印字装置のアクセント入力設定処理について図１８に基づいて説明する。
第３実施形態に係るアクセント入力設定処理は、第１実施形態に係るアクセント入力設定処理と同様に、ファンクションキー２０を押下し、それに続いてアクセントキー２１が押下された場合に開始され、第１アクセント入力処理、第２アクセント入力処理において、入力候補として表示されるアクセント文字の種類を選定する処理である。
ただし、第３実施形態に係るアクセント入力処理は、第１実施形態に係るアクセント入力処理と異なり、非表示あり印７３（図１３参照）を表示することはない。また、非表示としたアクセント文字の復帰は母体文字毎に行うことなく、コールドスタートによるメモリの初期化（図７、Ｓ２）により、すべての母体文字について一律に行うものである。以下、その詳細について説明する。
【０１２９】
まず、図１８に示すように、Ｓ１０１において、ＣＰＵ５１は、ＣａｐｓＬｏｃｋの状態の判定を行う。即ち、現在のアルファベットの入力が大文字で行われるか、小文字で行われているかが判断される。尚、電源投入時においては「アルファベット大文字」であり、Ｃａｐｓキー１４を押すたびに「アルファベット大文字」→「アルファベット小文字」→「アルファベット大文字」→・・・の順で切り換わる。尚、アルファベットの大文字、小文字を切り換える初期切り換え順番は初期切換順記憶領域５６Ａに記憶されている。
【０１３０】
続いて、アクセント文字の候補一覧が液晶ディスプレイ５上に表示される（S１０２）。その際、最初に表示されるアクセント文字の候補は母体文字「Ａ」若しくは「ａ」に関連付けられたアクセント文字である（図１９参照）。
【０１３１】
そして、Ｓ１０３において、ＣＰＵ５１により、装置本体表面部のキーボード２４に配置された各キー（図２参照）のいずれかが押下されたか否か判断され、押下されていない場合にはされるまで待機する（Ｓ１０３：ＮＯ）。
続いて、いずれかのキーが押下された場合には（Ｓ１０３：ＹＥＳ）、Ｓ１０４において、先ずカーソルキー１７が押下されたか否かを判定する判定処理を実行する。カーソルキー１７は液晶ディスプレイ５上に表示されるカーソル１６（図１９参照）の位置を左右に動かすものである。
【０１３２】
カーソルキー１７が操作された場合（Ｓ１０４：ＹＥＳ）には、カーソルキー１７の操作に合わせてカーソル１６が移動する（Ｓ１０５）。その際、ユーザーは、前記Ｓ１０２で表示されたアクセント文字の候補の内、前記第１アクセント入力処理、第２アクセント入力処理でそれぞれ選択候補表示画面７１に表示されるアクセント文字の候補一覧（図９、図１１参照）より、次回より候補として表示させなくするよう希望するアクセント文字にカーソル１６を移動させて選択することができる。
第１実施形態に係るテープ印字装置１では、フランス語、ドイツ語、イタリア語、スペイン語等の欧州各地で使用されるすべてのアクセント文字が含まれる一方、ユーザーの使用する言語によっては使用されることのないアクセント文字や、ほとんど使用されないアクセント文字が存在する。このようなアクセント文字を毎回表示することは操作の煩雑化を招くこととなる。従って、選択したアクセント文字を表示させなくすることにより、アクセント文字の入力を迅速かつ簡易に行うことができるようにするものである。
【０１３３】
続いて、Ｓ１０６でＤｅｌｅｔｅキー２２が押下されたか否かが判断される。Ｄｅｌｅｔｅキー２２が押下された場合（Ｓ１０６：ＹＥＳ）には、カーソル１６位置にあるアクセント文字が非表示設定となり、液晶ディスプレイ５上から削除される（Ｓ１０７）。
【０１３４】
一方、Ｄｅｌｅｔｅキー２２が押下されていないと判断された場合（Ｓ１０６：ＮＯ）には、ＣＰＵ５１により、アクセントキー２１が押下されたか否か判断される（Ｓ１０８）。アクセントキー２１が押下されたと判断された場合（Ｓ１０８：ＹＥＳ）には、現在液晶ディスプレイ５上に表示されているアクセント文字の候補を変更する（Ｓ１０９）。具体的には、アクセントキー２１を押す度に、母体文字のアルファベット順（「Ａ」→「Ｃ」→「Ｄ」→・・・・→「Ｚ」→「Ａ」→・・・の順、小文字についても同様）に表示されるアクセント文字候補の一覧が切り換わる（図１９参照）。そして、変更したアクセント文字候補を一覧にして液晶ディスプレイ５に表示し（Ｓ１０２）、再度処理を継続して行う。
【０１３５】
また、アクセントキー２１が押下されていないと判断された場合（Ｓ１０８：ＮＯ）には、ＣＰＵ５１により、母体文字（「Ａ」、「Ｃ」、「Ｄ」、「Ｅ」、「Ｉ」、「Ｌ」、「Ｎ」、「Ｏ」、「Ｒ」、「Ｓ」、「Ｔ」、「Ｕ」、「Ｙ」、「Ｚ」の１４種類）の文字入力キー１２が押下されたか否か判断される（Ｓ１１０）。母体文字の文字入力キー１２が押下されたと判断された場合（Ｓ１１０：ＹＥＳ）には、現在液晶ディスプレイ５上に表示されているアクセント文字の候補を変更する（Ｓ１０９）。具体的には、押下された母体文字に関連付けられたアクセント文字の候補の一覧に表示を切り換える。例えば、文字入力キー「Ｎ」を押した場合においてはアクセント文字の「アクサンテギュＮ」、「キャロンＮ」、「チルドＮ」が表示される。そして、変更したアクセント文字候補を一覧にして液晶ディスプレイ５に表示し（Ｓ１０２）、再度処理を継続して行う。
【０１３６】
更に、母体文字入力キー１２についても押下されていないと判断された場合（Ｓ１１０：ＮＯ）には、Ｃａｐｓキー１４が押下されたか否かが判断される（Ｓ１１１）。Ｃａｐｓキー１４が押下された場合（Ｓ１１１：ＹＥＳ）には、ＣＰＵ５１は、現在のＣａｐｓＬｏｃｋの状態の判定を行う（Ｓ１１２）。即ち、現在のアルファベットの入力が大文字で行われるか、小文字で行われているかが判断される。そして、その判断結果に基づき、現在、大文字で入力が行われている場合には大文字のアクセント文字の候補を小文字のアクセント文字候補の表示に変更し、小文字で入力が行われている場合には小文字のアクセント文字の候補を大文字のアクセント文字候補の表示に変更する（Ｓ１１３）。その後、変更したアクセント文字候補を一覧にして液晶ディスプレイ５に表示し（Ｓ１０２）、再度処理を継続して行う。
【０１３７】
一方、Ｃａｐｓキー１４も押下されていないと判断された場合（Ｓ１１１：ＮＯ）には、エンターキー１９が押下されているかが判断される（Ｓ１１４）。そして、エンターキー１９が押下されたと判断された場合（Ｓ１１４：ＹＥＳ）には、アクセント入力設定処理を終了し、メインフローチャートへと戻る。また、エンターキー１９が押下されていないと判断された場合（Ｓ１１４：ＮＯ）には、Ｓ１０４へと戻り、再度処理を行う。
【０１３８】
ここで、前記第３実施形態に係るアクセント入力設定処理において実行される液晶ディスプレイ５の表示画面の一例を図１９に基づいて説明する。
本例においては、母体文字「Ｕ」に関連付けられたアクセント文字の候補より「ハットＵ」を非表示とするものである。
【０１３９】
図１９（Ａ）に示すように、先ずファンクションキー２０を押下し、それに続いてアクセントキー２１を押下すると、選択候補表示画面７１において、母体文字「Ａ」に関連付けられたアクセント文字の一覧が液晶ディスプレイ５上に表示される。
その後、ユーザーは、アクセントキー２１を押してアクセント文字の候補一覧を順次切り換える。アクセント文字は関連付けられた母体文字のアルファベット順（「Ａ」→「Ｃ」→「Ｄ」→・・・・→「Ｚ」→「Ａ」→・・・の順）に切り換わる。そして、母体文字「Ｕ」に関連付けられたアクセント文字候補が表示された際にアクセントキー２１の操作を止め、続いてカーソルキー１７を操作し、（Ｂ）に示すように、表示されたアクセント文字の一覧から「ハットＵ」にカーソル１６を合わる。そして、Ｄｅｌｅｔｅキー２２を押す。その結果、（Ｃ）に示すように、「ハットＵ」は削除される。
また、更に他のアクセント文字を非表示とする場合（例えば、「ハットＵ」に加え、「アクサングローヴＵ」を非表示とする場合）には、上記と同様に「アクサングローヴＵ」にカーソル１６を合わせ、Ｄｅｌｅｔｅキー２２を押す。その結果、「アクサングローヴＵ」についても削除される。ただし、非表示あり印７３が２つ以上表示されることはないので、非表示あり印７３が追加表示されることはない。
尚、（Ａ）の選択候補表示画面７１において、母体文字「Ｕ」に関連付けられたアクセント文字候補を表示させる方法として、前記したようにアクセントキー２１によりアクセント文字を順次切り換えて行う他、文字入力キー「Ｕ」を押すことによっても母体文字「Ｕ」に関連付けられたアクセント文字候補を表示させることも可能である。
【０１４０】
また、非表示としたアクセント文字候補を復帰させる方法としては、コールドスタートを行う（図７、Ｓ２）。コールドスタートは最初に電源が投入された際、及び、電源ボタン１８を長押しした際に行われる。コールドスタートされると、メモリは初期化され、非表示とされていたすべての母体文字に関連付けられたアクセント文字が一律に復帰される。
【０１４１】
上記の通り、第３実施形態に係るテープ印字装置では、アクセント入力設定処理においては、ユーザーにとって表示を必要としない特定のアクセント文字を液晶ディスプレイ５に候補として表示させることないように設定し（Ｓ１０７）、アクセント文字を候補から選択する際の選択肢を狭くすることによって、アクセント文字の入力を迅速かつ簡易に行うことができる。更に、コールドスタートにより一旦非表示としたアクセント文字を再度復帰して、アクセント文字候補として表示させることができるので、様々な言語において文章入力装置を使用する際にも、各言語ごとに表示又は非表示とするアクセント文字を変更することが可能である。
【０１４２】
尚、本発明は前記第１実施形態乃至第３実施形態に限定されることはなく、本発明の要旨を逸脱しない範囲内で種々の改良、変形が可能であることは勿論である。
例えば、第１実施形態に係る第１アクセント入力処理及び第２アクセント入力処理においては、長押しされた文字入力キー１２に関連付けられたアクセント文字候補が一覧にして表示され、カーソル１６で選択するように構成されているが、先ずアクセント文字選択テーブル６０、６１の最も左に位置するアクセント文字の一字のみを表示し、アクセントキー２１を押す毎に右側の文字へ順次切り換わるようにしても良い。
【０１４３】
また、第３実施形態に係る第２アクセント入力処理においては、カーソル１６が合わされた母体文字に関連付けられたアクセント文字の内、アクセント文字選択テーブル６０、６１の最も左に位置するアクセント文字のみを最初に表示し、アクセントキー２１を押す毎に右側の文字へ順次切り換わるようにしているが、カーソル１６が合わされた母体文字に関連付けられたアクセント文字候補を一覧にして表示し、カーソル１６で選択するようにしてもよい。
【図面の簡単な説明】
【０１４４】
【図１】第１実施形態に係るテープ印字装置の概略外観斜視図である。
【図２】第１実施形態に係るテープ印字装置を示す正面図である。
【図３】第１実施形態に係るテープ印字装置に装着される背面カバーを外してテープカセットを装着した状態を示す背面側斜視図である。
【図４】第１実施形態に係るテープ印字装置の制御構成を示すブロック図である。
【図５】第１実施形態に係るテープ印字装置のアクセント文字記憶領域に格納されるアクセント文字選択テーブルの一例を示す図である。
【図６】第１実施形態に係るテープ印字装置のアクセント文字記憶領域に格納されるアクセント文字選択テーブルの一例を示す図である。
【図７】第１実施形態に係るテープ印字装置のメインシステム制御プログラムのフローチャートである。
【図８】第１実施形態に係るテープ印字装置の第１アクセント入力処理プログラムのフローチャートである。
【図９】第１実施形態に係るテープ印字装置の第１アクセント入力処理プログラムにおいて実行される液晶ディスプレイの表示画面の一例を示した説明図である。
【図１０】第１実施形態に係るテープ印字装置の第２アクセント入力処理プログラムのフローチャートである。
【図１１】第１実施形態に係るテープ印字装置の第２アクセント入力処理プログラムにおいて実行される液晶ディスプレイの表示画面の一例を示した説明図である。
【図１２】第１実施形態に係るテープ印字装置のアクセント入力設定処理プログラムのフローチャートである。
【図１３】第１実施形態に係るテープ印字装置のアクセント入力設定処理プログラムにおいて実行されるアクセント文字を非表示とする液晶ディスプレイの表示画面の一例を示した説明図である。
【図１４】第１実施形態に係るテープ印字装置のアクセント入力設定処理プログラムにおいて実行されるアクセント文字を復帰する液晶ディスプレイの表示画面の一例を示した説明図である。
【図１５】第２実施形態に係るテープ印字装置の第２アクセント入力処理プログラムのフローチャートである。
【図１６】第２実施形態に係るテープ印字装置の第２アクセント入力処理プログラムにおいて実行される液晶ディスプレイの表示画面の一例を示した説明図である。
【図１７】第２実施形態に係るテープ印字装置の第２アクセント入力処理プログラムにおいて実行される液晶ディスプレイの表示画面の一例を示した説明図である。
【図１８】第３実施形態に係るテープ印字装置のアクセント入力設定処理プログラムのフローチャートである。
【図１９】第３実施形態に係るテープ印字装置のアクセント入力設定処理プログラムにおいて実行される液晶ディスプレイの表示画面の一例を示した説明図である。
【符号の説明】
【０１４５】
１                テープ印字装置
２                本体
５                液晶ディスプレイ
１１              テープカセット
１２              文字入力キー
１４              Ｃａｐｓキー
１６              カーソル
１７              カーソルキー
１９              エンターキー
２０              ファンクションキー
２１              アクセントキー
２２              Ｄｅｌｅｔｅキー
２６              テンキー
２７              英字キー
２９              回路基板
３１              サーマルヘッド
４９              本体カバー部
５０              制御回路
５１              ＣＰＵ
５５、５６        ＲＯＭ
５７              ＲＡＭ
６０、６１        アクセント文字選択テーブル
７０              文章入力画面
７１              選択候補表示画面
【図１】
2005216071.tif 000003
【図２】
2005216071.tif 000004
【図３】
2005216071.tif 000005
【図４】
2005216071.tif 000006
【図５】
2005216071.tif 000007
【図６】
2005216071.tif 000008
【図７】
2005216071.tif 000009
【図８】
2005216071.tif 000010
【図９】
2005216071.tif 000011
【図１０】
2005216071.tif 000012
【図１１】
2005216071.tif 000013
【図１２】
2005216071.tif 000014
【図１３】
2005216071.tif 000015
【図１４】
2005216071.tif 000016
【図１５】
2005216071.tif 000017
【図１６】
2005216071.tif 000018
【図１７】
2005216071.tif 000019
【図１８】
2005216071.tif 000020
【図１９】
2005216071.tif 000021